(57)【要約】  本発明は、切削加工する切断工具であって、主として、支持プレート（５）を受容する切欠き（４）と前記支持プレート（５）の上に緊締爪（２２）を介して固定されるカッティングツール（６）とを有するクランプ保持体（３）から成る形式のものに関する。前記クランプ保持体（３）に前記カッティングツール（６）を確実に固定するためには前記カッティングツール（６）を、形状接続的な溝−キー結合を介して前記支持プレート（５）に座着することが提案されている。
2009522127.tif 000002
【特許請求の範囲】
【請求項１】
切削加工する切断工具であって、主として、支持プレート（５）を受容する切欠き（４）と前記支持プレート（５）の上に緊締爪（２２）を介して固定されるカッティングツール（６）とを有するクランプ保持体（３）から成る形式のものにおいて、前記カッティングツール（６）が形状接続的な溝−キー結合を介して前記支持プレート（５）に座着していることを特徴とする、切削加工するための切断工具。
【請求項２】
前記カッティングツール（６）が前記支持プレート（５）に向いた下面（７）に溝（１０）を有し、該溝（１０）内に、前記支持プレート（５）と一体に構成されているか又は前記支持プレート（５）に固定された嵌合キー（９）が形状接続的に係合する、請求項１記載の切断工具。
【請求項３】
前記カッティングツール（６）に向いた上面（８）に前記支持プレート（５）がスリット（１１）を有し、該スリット（１１）に前記嵌合キー（９）が独立した構成部分として形状接続的に挿入されている、請求項２記載の切断工具。
【請求項４】
前記嵌合キー（９）がセラミックから成っている、請求項２又は３記載の切断工具。
【請求項５】
前記カッティングツール（６）が前記支持プレート（５）に向いた下面（７）に隆起した嵌合キー（９）を有し、該嵌合キー（９）が前記支持プレート（５）の、前記カッティングツール（６）に向いた上面（８）の溝（１０）に形状接続で係合する、請求項１から４までのいずれか１項記載の切断工具。
【請求項６】
前記支持プレート（５）がねじ（１４）を介して前記クランプ保持体（３）に固定されており、当該ねじ（１４）を締付けることで前記支持プレート（５）が前記切欠きのプレート座に引寄せられる、請求項１から５までのいずれか１項記載の切断工具。
【請求項７】
前記支持プレート（５）が前記クランプ保持体（３）に向いた下面（１６）にウエブ（１７）を有し、該ウエブ（１７）が前記クランプ保持体（３）における対応する溝（１８）に係合するか又はその反対である、請求項１から６までのいずれか１項記載の切断工具。
【請求項８】
切削加工するためのカッティングツールであって、切断縁を有する上面（１９）と当該切断工具に支持するための下面（７）とを有し、特に請求項１から７までの切断工具に用いられる形式のカッティングツールにおいて、該カッティングツール（６）の下面（７）が、該カッティングツール（６）を形状接続的な溝−キー結合を介して支持部に固定するために溝（１０）を有していることを特徴とする、カッティングツール。
【請求項９】
前記溝（１０）が前記下面（７）に一貫して構成されている、請求項８記載のカッティングツール。
【請求項１０】
前記カッティングツール（６）の材料がセラミック又は立方晶系窒化硼素である、請求項８又は９記載のカッティングツール。
【発明の詳細な説明】
【技術分野】
【０００１】
本発明は請求項１の上位概念として記した、切削加工するための切断工具及び該切断工具に固定するためのカッティングツールに関する。
【０００２】
図１ａ，ｂ，ｃには公知技術による支持プレート１が示されている。この支持プレート１は円形カッティングツールを受容する。この場合、支持プレート１は１２０°のプリズム部２を備え、該プリズム部２内には図示されていないカッティングツールが挿入される（ＥＰ０３５０９３８Ａ１号明細書参照）。
【０００３】
例えば４．７６ｍｍのカッティングツール厚さでは、カッティングツールはプリズム部の終わりではきわめて薄くなる。さらにカッティングツールの製作誤差は支持プレートに対し不正確な位置決めをもたらす。これによってカッティングツールの十分な座りは保証されない。これは目下のところ特にＣＢＮカッティングツール、つまり立方晶系窒化硼素から成るカッティングツールに当て嵌まる。
【０００４】
本発明の課題は請求項１の上位概念による切断工具とそれに所属するカッティングツールであって、切断工具に対するカッティングツールの固定が著しく改善されたものを提供することである。
【０００５】
本発明の課題は本発明によれば請求項１と請求項８との特徴によって解決された。
【０００６】
カッティングツールが形状接続的な溝−キー結合を介して支持プレートに配置されることで固定は著しく改善される。
【０００７】
本発明による構成ではカッティングツールは支持プレートに向いた下面に溝を有し、該溝に嵌合キーが形状接続的に係合する。該嵌合キーは支持プレートと一体に形成されているか又は支持プレートに固定されていることができる。
【０００８】
支持プレートはカッティングツールに向いた上面に有利には１つのスリットを、独立した構成部分としての嵌合キーを形状接続的に挿入するために有している。
【０００９】
有利には前記嵌合キーはセラミックから成っている。
【００１０】
１実施例ではカッティングツールは支持プレートに向いた下面に隆起した嵌合キーを有している。該嵌合キーは支持プレートの、カッティングツールに向いた上面における対応する溝に係合する。
【００１１】
支持プレートは有利には、可能な限り、ねじを介してクランプ保持体に固定される。この場合にはねじを締めることで支持プレートはプレート座にて切欠き内へ引込まれる。
【００１２】
１実施例では支持プレートはクランプ保持体に向いた下面にウエブを有し、クランプ保持体の対応する溝に係合するように構成されているか又はその反対に構成されている。
【００１３】
カッティングエッジを有する上面と切断工具に支持される下面とを有し、特に前述の切断工具に使用して切削加工を行なうための本発明によるカッティングツールは、本発明によれば、カッティングツールを支持部の上に形状接続的な溝−キー結合を介して固定するために、カッティングツールが下面に溝を有することを特徴としている。有利には溝は下面に一貫して構成されている。カッティングツールの材料は有利にはセラミックから成っている。さらに立方晶系窒化硼素ＣＢＮ又は金属から成っていることもできる。
【００１４】
カッティングツールと支持プレートとの間にある本発明による形状接続による溝−キー結合によって、平滑に研削されたカッティングツールとキーにおける案内とに基づき、より良好なプレート座が保証される。さらに別の利点は支持プレートが前からねじ結合され、これによって溝楔部もセラミック内に構成できることである。これは切削に際して発生する熱に基づき保持体内に発生するひずみが少なくなることを意味する。
【００１５】
以下、図面に基づき本発明を詳しく説明する。
【００１６】
図２ａ，ｂ，ｃ，ｄは支持プレート５を受容する切欠き４を有するクランプ保持体３を示している。支持プレート５自体は図３ａ，ｂ，ｃ，ｄに示されている。図４ａ，ｂ，ｃは所属の嵌合キー９を示しており、図５は本発明によるカッティングツール６を示している。
【００１７】
カッティングツール６は有利には円形カッティングツールであるが、支持プレート５に向いた下面７（特に５図参照）に溝１０を有する他の幾何学的な形状を有していることもできる。有利にはカッティングツール６はセラミックから成っているが、他の材料、例えば金属から成っていることもできる。カッティングツール６は緊締爪２２を介してクランプ保持体３に固定されている。
【００１８】
クランプ保持体３の切欠き４には支持プレート５が挿入されている。この支持プレート５の詳細は図３に示されている。支持プレート５はカッティングツール６に向いた上面８に嵌合キー９を有している。この嵌合キー９はその幅９ａでカッティングツール６における溝１０に適合させられている。
【００１９】
有利には嵌合キー９は独立した構成部分（図４参照）であって、セラミックから成っている。
【００２０】
有利な実施例では支持プレート５の上面８にスリット１１が設けられ、該スリット１１内に嵌合キー９が挿入されている。
【００２１】
支持プレート５はクランプ保持体３にねじ結合されている。このためには支持プレート５は円錐形の直径縮小部１３を有する孔１２を有している。この孔１２内にはねじ１４が挿入される。該ねじ１４はヘッド１５で円錐形の直径縮小部１３に支えられかつねじ山でクランプ保持体３における対応ねじ山に係合する。ねじ１４を締付けることにより、支持プレート５はクランプ保持体３の切欠き４におけるプレート座に締付けられる。
【００２２】
クランプ保持体３に向いた下面１６には支持プレート５はウエブ１７を有し、該ウエブ１７はクランプ保持体３における対応する溝１８に係合する。この溝１８（図２ｃ参照）は支持プレート５をクランプ保持体３の上で案内するために役立つ。
【００２３】
カッティングツール６（図５参照）は円形カッティングツールとして構成され、平らな上面１９を備えている。下面７における溝１０は有利には一貫して構成されている。有利にはこのカッティングツール６の材料としては立方晶系窒化硼素ＣＢＮが適している。しかしカッティングツール６は他の材料から成っていることもできる。カッティングツール６の側面２０は有利には円錐形に構成されている。この場合、カッティングツール６の直径は溝１０に向かって減少する。
【００２４】
嵌合キー（図４参照）はその縁部にそれぞれ１つの面取部２１を備え、有利にはセラミックから成っている。
【図面の簡単な説明】
【００２５】
【図１】ａ，ｂ，ｃは公知技術の支持プレートを示した図。
【図２】ａ，ｂ，ｃ，ｄは支持プレート５を受容する切欠きを有するクランプ保持体を示した図。
【図３】ａ，ｂ，ｃ，ｄは支持プレート５を示した図。
【図４】ａ，ｂ，ｃは対応する嵌合キー９を示した図。
【図５】本発明によるカッティングツール６を示した図。
【符号の説明】
【００２６】
１  支持プレート、  ２  プリズム部、  ３  クランプ保持体、  ４  受容部、  ５  支持プレート、  ６  カッティングツール、  ７  下面、  ８  上面、  ９  嵌合キー、  １０  溝、  １１  スリット、  １２  孔、  １３  直径縮小部、  １４  ねじ、  １５  ヘッド、  １６  下面、  １７  ウエブ、  １８  溝、  １９  上面、  ２０  側面、  ２１  面取部、  ２２  緊締爪
【図１ａ】
2009522127.tif 000003
【図１ｂ】
2009522127.tif 000004
【図１ｃ】
2009522127.tif 000005
【図２ａ】
2009522127.tif 000006
【図２ｂ】
2009522127.tif 000007
【図２ｃ】
2009522127.tif 000008
【図２ｄ】
2009522127.tif 000009
【図３ａ】
2009522127.tif 000010
【図３ｂ】
2009522127.tif 000011
【図３ｃ】
2009522127.tif 000012
【図３ｄ】
2009522127.tif 000013
【図４ａ】
2009522127.tif 000014
【図４ｂ】
2009522127.tif 000015
【図４ｃ】
2009522127.tif 000016
【図５】
2009522127.tif 000017
【国際調査報告】
2009522127.tif 000018
2009522127.tif 000019
2009522127.tif 000020
2009522127.tif 000021
2009522127.tif 000022
2009522127.tif 000023